(57)【要約】      （修正有）【課題】便器に強固に固定され、簡単に取り付け、取り外しができる薬剤供給器を提供する。【解決手段】全体が細長い形状であって外方拡張性を有し、この外方拡張性によって便器の洗浄水流下面の上縁部に固定される躯体と、前記躯体の外部に設けられ、薬剤を保持する薬剤保持部とをそなえる。前記薬剤保持部に保持された前記薬剤に注水して前記洗浄水流下面に該薬剤が溶け込んだ流水を供給する。【選択図】図１
0003152540.tif 000002
【実用新案登録請求の範囲】
【請求項１】
全体が細長い形状であって外方拡張性を有し、この外方拡張性によって便器の洗浄水流下面の上縁部に固定される躯体と、
前記躯体の外部に設けられ、薬剤を保持する薬剤保持部とをそなえ、
前記薬剤保持部に保持された前記薬剤に注水して前記洗浄水流下面に該薬剤が溶け込んだ流水を供給するようにした薬剤供給器。
【請求項２】
請求項１記載の薬剤供給器において、
前記躯体は、管状に形成され、
前記通水部は、前記躯体に設けられた切れ目であることを特徴とする薬剤供給器。
【請求項３】
請求項１記載の薬剤供給器において、
前記躯体の両端に設けられ、前記躯体の伸長性を受けて前記便器に当接する圧接部材を有することを特徴とする薬剤供給器。
【請求項４】
請求項１記載の薬剤供給器において、
前記薬剤保持部は、ペレット状に形成された薬剤の保持室として形成され、
前記躯体は、前記保持室が連結されて形成されたことを特徴とする薬剤供給器。
【請求項５】
請求項１記載の薬剤供給器において、
前記躯体は、前記便器の洗浄水流下面上縁部の端部内面に押圧されて固定される当接部材を有することを特徴とする薬剤供給器。
【請求項６】
請求項１記載の薬剤供給器において、
前記躯体は、前記洗浄水吐出用穴に挿入される突起を持った保持部材を有することを特徴とする薬剤供給器。
【考案の詳細な説明】
【技術分野】
【０００１】
本考案は、水栓トイレの便器を洗浄するための薬剤供給器に係わり、とくにその機能および取扱いの利便性を向上させる構造に関する。
【背景技術】
【０００２】
従来、この種の便器は清潔感を重視するため、定常的に洗浄水に薬液を溶解、流下させて洗浄することが行われている。例えば、特許文献１では、男子用小便器または貯水タンクに薬剤保持器を吸盤で固定し、洗浄水中に薬剤を溶解させるようにしている。また、特許文献２では、男子用小便器の洗浄水流下面に薬剤保持器を両面接着テープで固定しておき、洗浄水が流れる度に薬剤を溶解、流下させるようにしている。
【先行技術文献】
【特許文献】
【０００３】
【特許文献１】特開2003-247256号公報
【特許文献２】特開2005-344347号公報
【考案の概要】
【考案が解決しようとする課題】
【０００４】
しかしながら、特許文献１および同２は、薬剤供給装置を安定的に固定しておくことが難しい点に問題がある。  
本考案は上述の点を考慮してなされたもので、薬剤供給器を安定的に保持する構造を提供することを目的とする。
【課題を解決するための手段】
【０００５】
上記目的達成のため、本考案は、
全体が細長い形状であって外方拡張性を有し、この外方拡張性によって便器の洗浄水流下面の上縁部に固定される躯体と、
前記躯体の外部に設けられ、薬剤を保持する薬剤保持部とをそなえ、
前記薬剤保持部に保持された前記薬剤に注水して前記洗浄水流下面に該薬剤が溶け込んだ流水を供給するようにした薬剤供給器、
を提供する。
【考案の効果】
【０００６】
本考案は上述のように、躯体により便器に強固に固定され、しかも簡単に取り付け、取外しができるため、取扱いの容易な薬剤供給器を提供することができる。
【図面の簡単な説明】
【０００７】
【図１】図１(a)−(c)は、本考案の第1の実施例を大便器に適用したときの様子を示す説明図。
【図２】図２(a)，(b)は、本考案の第２の実施例を小便器に適用したときの様子を示す説明図。
【図３】図３(a)，(b)は、本考案の第３の実施例の詳細構成を示す斜視図。
【図４】図４(a)−(d)は、本考案の第４の実施例の詳細構成を示す斜視図。
【図５Ａ】図５Ａ(a)−(d)は、本考案の第５の実施例の詳細構成を示す斜視図。
【図５Ｂ】図５Ｂ(a)，(b)は、本考案の第５の実施例の詳細構成を示す斜視図。
【図６Ａ】図６Ａ(a)，(b)は、本考案の第６の実施例の詳細構成を示す斜視図。
【図６Ｂ】図６Ｂ(a)，(b)は、本考案の第６の実施例の詳細構成を示す斜視図。
【図７】図７(a)，(b)は、本考案の第７の実施例の詳細構成を示す斜視図。
【図８】図８(a)，(b1)−(c3)は、本考案の第８の実施例の詳細構成を示す斜視図。
【図９】図９(a)，(b)，(c1)−(c3)は、本考案の第８の実施例における薬剤の吊り下げ構造を示す斜視図。
【図１０】図１０(a)−(d)は、本考案の第９の実施例の詳細構成を示す斜視図。
【考案を実施するための形態】
【０００８】
以下、添付図面を参照して本考案の実施の形態を説明する。
【０００９】
本考案の概要
本考案に係る薬剤供給器は、便器の洗浄水流下面を洗浄するための薬剤を保持し、薬剤溶解水を流下させるものである。そこで、洗浄水流下面の上部に薬剤を保持して流下する洗浄水に薬剤を溶解させて薬剤溶解水とし、流下させる。薬剤は、定期的に補充または交換する。
【００１０】
そのために、本考案に係る薬剤供給器は、次のような形態とする。
【００１１】
まず主たる構成要素として、躯体および薬剤保持部を有し、保持された薬剤に注水し得る構造を有する。
【００１２】
(a) 躯体：全体が細長い形状であって形状の外方拡張性を有し、この外方拡張性によって便器の洗浄水流下面の上縁部に固定される。
【００１３】
(b) 薬剤保持部：前記躯体の内部または外部に設けられ、薬剤を保持し、薬剤に注水し薬剤溶解水として流出させる。
【００１４】
次に、上記構成要素の構造として次のように類型化される。
【００１５】
(1) 適用する薬剤の形状として、
(a)連続型（棒状）、(b)不連続型（ペレット状）、(c)半固形型（ゼリー状）がある。(a)連続型および(b)不連続型は固形であり、補充または交換をするが、(c)半固形型は充填という方法が採れる。
【００１６】
(2) 薬剤を、薬剤保持具に保持させるにつき、
(a)内部収容型、(b)外部露出型、がある。
【００１７】
(3) 薬剤保持具の保持力を作用させるにつき、
(a)復元力によるもの、(b)伸張力によるもの、がある。
【実施例１】
【００１８】
図1(a)ないし(c)は、本考案を大便器に適用した場合の縦断面および部材構成を示している。  
図１(a)は、大便器１００の縦断面を示しており、洗浄水流下面１０１の上部に洗浄水流路１０２が設けられている。この洗浄水流路１０２から流出した洗浄水の一部が、管状の躯体内に薬剤保持部を有するように構成された薬剤保持具１０の内部に流入する。これにより、薬剤保持部１０の内部に保持された薬剤（図示せず）の表面に接して溶解させ、洗浄水流下面に沿って流下する。
【００１９】
図1(b)は、便器１００と薬剤保持具１０との関係を示したもので、薬剤保持具１０はそれ自体の外方拡張性、つまり復元性または伸張性により洗浄水流路の内壁面を押圧して便器１００に固定された状態を保っている。
【００２０】
図１(c)は、薬剤保持具１０の躯体が有する外方拡張性を説明する図であり、薬剤保持具１０は無拘束状態では左図に示すように大きなものが、拘束を受けた状態では右図に示したように屈曲した状態となる。つまり、便器内に装着された状態では、外方に拡張しようとする押圧力を生じている。
【実施例２】
【００２１】
図２(a)は、男子用小便器１００における薬剤保持具１０の状態を示している。この場合も、薬剤保持具１０は、洗浄水流下面１０１の上部に洗浄水流路１０２が設けられており、薬剤保持具１０は洗浄水流路１０２に固定されている。
【００２２】
図２(b)は、薬剤保持具１０の躯体が有する外方拡張性を示したもので、図１(c)を用いて説明したように、便器内では外方に拡張しようとする押圧力を生じている。  
【実施例３】
【００２３】
図３(a)および同(b)は、小便器に箱型の薬剤保持具１０ａを、伸張性のある棒、つまり圧接部材（いわゆるツッパリ棒）１０ｂで固定した状態を示している。
【実施例４】
【００２４】
図４(a)は、薬剤保持具１０によって薬剤２０を保持する関係を示したものである。薬剤保持具１０は、長手方向に連続した切れ目、およびこの長手方向の切れ目に交差して設けられ、しかもこの長手方向の切れ目に連なった径方向の多数の切れ目を有するパイプ状に形成され、内部に薬剤２０を収容する。薬剤２０は、連続形状の棒状に形成されていてもよいし、ペレット状に形成されていてもよい。
【００２５】
図４(b)は、薬剤保持具１０の横断面を示しており、中央部に薬剤２０を抱持し、例えば多孔性樹脂であるパイプ壁材１１に設けられた切れ目１２で薬剤２０が外部に露出している。
【００２６】
したがって、洗浄水は、切れ目１２からパイプ壁材１１内に流入して薬剤を溶かし込み、下方に流下する。
【００２７】
図４(c)および(d)は、大便器および小便器用の薬剤保持具１０の他の外観形状例を示したものである。この場合、何れの薬剤保持具も図４(a)，(b)の円形断面ではなく、断面形状が矩形である。この形状は、対象とする便器の構造に合わせて選択すればよい。
【実施例５】
【００２８】
図５Ａ(a)ないし(d)、および図５Ｂ(a)，(b)は、薬剤保持具１０の全体形状、および薬剤保持具１０の補助部材１３の構造を示したものである。
【００２９】
この場合、薬剤保持具１０は、図１ないし図４に示した実施例におけるような、曲げ復元性を利用して固定するものとは異なり、長手方向の伸張力を利用したツッパリ作用で固定する構造である。
【００３０】
そのために、薬剤保持具１０は、リング状部材１０ａと両端に設ける圧接部材１０ｂとの組み合わせとし、必要に応じて途中、例えば中央に吊り下げ部材１３を設ける。
【００３１】
リング状部材１０ａは、適度の曲げ剛性または弾性を有し、圧接部材１０ｂは適度のクッション性および滑り抵抗性を有するものとする。吊り下げ部材１３は、リング状部材１０ａを保持する保持部１３ａおよび便器の洗浄水流出口に差し込むための掛け部材１３ｂを有し、リング状部材１０ａの重量を支える。
【実施例６】
【００３２】
図６Ａ(a)，(b)は、リング状部材１０ａの他の構成例を示したものであり、図６Ｂ(a1)，(a2)および図６Ｂ(b1)，(b2)は、それらの詳細構造を示したものである。
【００３３】
これらは、ともにダンボール構造の積層体であり、内層に薬剤収納用の細長い穴が多数並設され、これらの穴にペレット状等の薬剤が充填され、その周囲に洗浄水が流れるための空間が設けられている。
【実施例７】
【００３４】
図７(a)，(b)は、薬剤保持具１０が薬剤２０を貫通する構造の例を示したものである。この場合、薬剤２０は、図７(a)に示すように薬剤保持具１０の相対的に小径のリング状部材に緩く保持されていても、または図７(b)に示すように嵌合する程度の大径であって固定的に係合していてもよい。
【実施例８】
【００３５】
図８(a)，(b1)−(b3)は、薬剤２０の吊り下げ作用で取り付けを行う例を示している。
【００３６】
この場合、リング状の薬剤保持具１０は薬剤交換の際の利便性のために各薬剤を貫通するために設けられたもので、各薬剤２０ａが吊り下げ部材２０ｂを備えていてそれぞれで吊り下げ作用を行う。
【００３７】
吊り下げ部材２０ｂは、洗浄水流出口（図示せず）に差し込まれるものであるが、取外しの便を考慮して先端が二つ割（図８(b1)図示）になった構成としてもよい。
【００３８】
図９(a)，(b)，(c1)−(c2)は、薬剤２０を薬剤保持具１０に吊り下げる構造を採った例を示したものである。この場合、一つ一つの薬剤２０を着脱することもできるから、維持管理を小まめに行うことができる。図９(c1)−(c2)は、吊り下げ構造例を示したもので、図９(c1)は、穴に差し込む形式を、図９(c2)は、穴に掛ける形式を示している。
【実施例９】
【００３９】
図１０(a)−(d)は、薬剤保持具１０の他の構成例を示したもので、図１に示した管状の薬剤保持具を発展させた形状を持つものである。すなわち、図１における管状であってリング状に屈曲された薬剤保持具１０の一側面に、この薬剤保持具１０の径方向内周部から延び出して外周の位置までのカール面を形成する拡散部１４が設けられている。
【００４０】
これにより、薬剤保持具１０の切れ目から流出した洗浄水は、拡散部１４によって切れ目以外の部分にも流れるように均等な流れに変えられて、洗浄水流下面に伝わることになる。したがって、洗浄水流下面が平均的に洗浄され、洗浄効果が向上する。
【符号の説明】
【００４１】
１０  薬剤保持具  １０ａ  リング状部材、１０ｂ  圧接部材（ツッパリ棒）、１１  パイプ壁材、１２  切れ目、１３  補助部材、１３ａ  保持部、
１３ｂ  掛け部材１３ｂ、１４  拡散部、２０  薬剤、２０ａ  薬剤、
２０ｂ  吊り下げ部材、１００  便器、１０１  洗浄水流下面、
１０２  洗浄水流路。
【図１】
0003152540.tif 000003
【図２】
0003152540.tif 000004
【図３】
0003152540.tif 000005
【図４】
0003152540.tif 000006
【図５Ａ】
0003152540.tif 000007
【図５Ｂ】
0003152540.tif 000008
【図６Ａ】
0003152540.tif 000009
【図６Ｂ】
0003152540.tif 000010
【図７】
0003152540.tif 000011
【図８】
0003152540.tif 000012
【図９】
0003152540.tif 000013
【図１０】
0003152540.tif 000014
【手続補正書】
【提出日】平成21年6月1日(2009.6.1)
【手続補正１】
【補正対象書類名】実用新案登録請求の範囲
【補正対象項目名】請求項２
【補正方法】変更
【補正の内容】
【請求項２】
請求項１記載の薬剤供給器において、
前記躯体は、管状に形成され、各所に切れ目が設けられたことを特徴とする薬剤供給器。
【手続補正２】
【補正対象書類名】実用新案登録請求の範囲
【補正対象項目名】請求項６
【補正方法】変更
【補正の内容】
【請求項６】
請求項１記載の薬剤供給器において、
前記躯体は、前記便器の洗浄水吐出用穴に挿入される突起を持った保持部材を有することを特徴とする薬剤供給器。